(57)【要約】【課題】４個の符号錠を設けた金庫扉の施錠機構であって、そのうちの１個の符号錠が故障しても施錠機構を破壊せずに開扉できる金庫扉の施錠機構を提供すること。【解決手段】金庫扉の開閉を行うときに作動させる金庫扉の施錠機構１であって、前記金庫扉の表側に設けられた開閉ハンドル５と連動し、前記金庫扉の裏側で施錠位置と解錠位置とを選択的に移動する走り板（横走り板４）と、前記金庫扉の裏側で前記走り板（横走り板４）に設けられた止め金具４ａと当接したり、離れたりするように同じ位置で回動可能に前記金庫扉の裏側に固定されている錠止め駒３と、前記錠止め駒３と前記止め金具４ａとが当接する度合いを、前記金庫扉に設けた４個の符号錠１Ａ〜１Ｄの可動端部１Ａ１〜１Ｄ１の移動量に基づいて調節する移動量伝達機構２とを備えた。【選択図】　　　　　図１
2004036184.tif 000002
【特許請求の範囲】
【請求項１】
金庫扉の開閉を行うときに作動させる金庫扉の施錠機構であって、
前記金庫扉の表側に設けられた開閉ハンドルと連動し、前記金庫扉の裏側で
施錠位置と解錠位置とを選択的に移動する走り板と、
前記金庫扉の裏側で前記走り板に設けられた止め金具と当接したり、離れたりするように同じ位置で回動可能に前記金庫扉の裏側に固定されている錠止め駒と、
前記錠止め駒と前記止め金具とが当接する度合いを、前記金庫扉に設けた４個の符号錠の可動端部の移動量に基づいて調節する移動量伝達機構と、
を具備したことを特徴とする金庫扉の施錠機構。
【請求項２】
前記移動量伝達機構が、
前記４個の符号錠の可動端部を端から順に２個ずつ連結し、各符号錠の動作に応じて移動する２枚の第１の連動部材と、
前記第１の連動部材の中心部分同士を連結し、前記第１の連動部材の動作に応じて移動する第２の連動部材と、
前記第２の連動部材の中心部分と前記錠止め駒とを連結する第３の連動部材と、
から構成されることを特徴とする請求項１に記載の金庫扉の施錠機構。
【発明の詳細な説明】
【０００１】
【発明の属する技術分野】
本発明は、金庫扉を開閉するための施錠機構に関する。
【０００２】
【従来の技術】
一般に、金庫扉の開扉は、金庫扉に設けた符号錠を解錠して走り板の開扉方向への移動路を形成した後、金庫扉の表側に設けた開閉ハンドルを操作し、金庫扉の裏側で走り板を退避させることにより達成される。
また、金庫扉には、金庫扉の防盗性を上げるため、符号錠の数を１個ではなく２個或は３個と複数個設けることがある。
【０００３】
【発明が解決しようとする課題】
しかしながら、符号錠を複数個設けた場合に、ある１個の符号錠が故障した場合には金庫扉の施錠機構を破壊しなければ、金庫扉の開扉ができないという問題があった。
【０００４】
本発明は前記課題を解決するためになされたものであって、４個の符号錠を設けた金庫扉の施錠機構であって、そのうちの１個の符号錠が故障しても施錠機構を破壊せずに開扉できる金庫扉の施錠機構を提供することを目的とする。
【０００５】
【課題を解決するための手段】
前記課題を解決するためになされた請求項１に記載された金庫扉の施錠機構は、金庫扉の開閉を行うときに作動させる金庫扉の施錠機構であって、前記金庫扉の表側に設けられた開閉ハンドルと連動し、前記金庫扉の裏側で施錠位置と解錠位置とを選択的に移動する走り板と、前記金庫扉の裏側で前記走り板に設けられた止め金具と当接したり、離れたりするように同じ位置で回動可能に前記金庫扉の裏側に固定されている錠止め駒と、前記錠止め駒と前記止め金具とが当接する度合いを、前記金庫扉に設けた４個の符号錠の可動端部の移動量に基づいて調節する移動量伝達機構とを具備したことを特徴とするものである。
【０００６】
請求項１に記載された発明によると、金庫扉の開閉を行うときに作動させる金庫扉の施錠機構であって、前記金庫扉の表側に設けられた開閉ハンドルと連動し、前記金庫扉の裏側で施錠位置と解錠位置とを選択的に移動する走り板と、前記金庫扉の裏側で前記走り板に設けられた止め金具と当接したり、離れたりするように同じ位置で回動可能に前記金庫扉の裏側に固定されている錠止め駒と、前記錠止め駒と前記止め金具とが当接する度合いを、前記金庫扉に設けた４個の符号錠の可動端部の移動量に基づいて調節する移動量伝達機構とを具備したことにより、４個の符号錠のうちのどの１個が故障しても、残り３個の符号を解錠したときに、移動量伝達機構を介して錠止め駒と走り板に設けられた止め金具とが当接しなくなるようにすることができるので、金庫扉の施錠機構を破壊することなく確実に開扉することができる。
【０００７】
請求項２に記載された金庫扉の施錠機構は、前記移動量伝達機構が、前記４個の符号錠の可動端部を端から順に２個ずつ連結し、各符号錠の動作に応じて移動する２枚の第１の連動部材と、前記第１の連動部材の中心部分同士を連結し、前記第１の連動部材の動作に応じて移動する第２の連動部材と、前記第２の連動部材の中心部分と前記錠止め駒とを連結する第３の連動部材とから構成されることを特徴とする請求項１に記載の金庫扉の施錠機構である。
【０００８】
請求項２に記載された発明によると、前記移動量伝達機構を、前記４個の符号錠の可動端部を端から順に２個ずつ連結し、各符号錠の動作に応じて移動する２枚の第１の連動部材と、前記第１の連動部材の中心部分同士を連結し、前記第１の連動部材の動作に応じて移動する第２の連動部材と、前記第２の連動部材の中心部分と前記錠止め駒とを連結する第３の連動部材とから構成することにより、
（１）金庫扉を正面視した場合に、施錠時（解錠スタート時）における２枚の第１の連動部材と第２の連動部材とを第２の連動部材の中央部を通る水平面に対して面対称に設けることができるので、リンク機構が簡単な構造となり組み付け作業が容易となる。
（２）４個の符号錠の可動端部全体の移動量を第３の連動部材を介して錠止め駒に伝達することができる。従って、各連動部材と錠止め駒との動作部分の精度が出し易くなる。
【０００９】
【発明の実施の形態】
以下、本発明に係る金庫扉の施錠機構の一実施形態について図１〜図４を参照して説明する。
尚、図１（ａ）は、本発明に係る金庫扉の施錠機構の左側面図を示す図、図１（ｂ）は、本発明に係る金庫扉の施錠機構の正面図、図２は、本発明に係る金庫扉の施錠機構の平面図である。
また、図３（ａ）は、錠止め駒と第１〜第３の連動部材と４個の符号錠の可動端部との位置関係を示す図、図３（ｂ）は、錠止め駒と、この錠止め駒に当接している止め金具との施錠時と解錠時の状態を説明するための図である。
そして、図４は、本発明に係る一実施形態の金庫扉の施錠機構における移動量伝達機構の動作を説明するための図である。
【００１０】
本発明に係る一実施形態の金庫扉の施錠機構は、図１に示すように、
金庫扉の表側に出ているダイアルの符号が解錠位置になったら金庫扉の裏側の可動端部１Ａ１〜１Ｄ１が移動する４つ符号錠１Ａ〜１Ｄと、
各符号錠の可動端部の移動量を、金庫扉に同じ位置で回動可能に固定されている錠止め駒３に伝達する移動量伝達機構２と、
前記移動量伝達機構２から伝達される移動量に応じて回動する錠止め駒３と、
回動した前記錠止め駒３の位置が金庫扉の施錠位置又は金庫扉の解錠位置に応じて選択的に金庫扉の開閉を行う開閉手段とから主要部が形成される。
【００１１】
４つの符号錠１Ａ〜１Ｄは、図１及び図２に示すように、金庫扉の裏側で所定の間隔を有して上下方向に一直線上に並んでおり、各符号錠は、金庫扉の表側に出ているダイアルの符号が解錠位置になったら金庫扉の裏側の可動端部１Ａ１〜１Ｄ１が所定の距離だけ右方向に移動するようになっている。
【００１２】
移動量伝達機構２は、図１及び図２に示すように、４個の符号錠１Ａ〜１Ｄの可動端部１Ａ１〜１Ｄ１を端から順に２個ずつ連結し、各符号錠の動作に応じて移動する２枚の第１の連動部材２ａ，２ｂと、前記第１の連動部材２ａ，２ｂの中心部分同士を連結し、前記第１の連動部材２ａ，２ｂの動作に応じて移動する第２の連動部材２ｃと、前記第２の連動部材２ｃの中心部分と前記錠止め駒３とを連結する第３の連動部材２ｄとから形成されている。
【００１３】
尚、２枚の第１の連動部材２ａ，２ｂは、互いに同じ形状・大きさをした矩形の板材（リンクプレート）である。
また、第２の連動部材２ｃは、第１の連動部材２ａ，２ｂの中心部分同士を連結する矩形の板材（リンクプレート）であり、その中心部分には前記錠止め駒３と連結する第３の連動部材２ｄが設けられている。
尚、２枚の第１の連動部材２ａ，２ｂ及び第２の連動部材２ｃの連結孔は、符号錠の可動端部の移動時に自由度を持たせるため、円形ではなく長円形の孔を設けている。
第３の連動部材２ｄは、第２の連動部材２ｃの中心部分に設けられる板材と錠止め駒３の下部に設けられる板材とを連結し、各符号錠の可動端部の移動量に応じて回動する錠止め駒３の回転量を調節する調節ネジとから形成されている。
【００１４】
このような移動量伝達機構２を設けることで、
（１）金庫扉を正面視した場合に、施錠時（解錠スタート時）における２枚の第１の連動部材２ａ，２ｂと第２の連動部材２ｃとを第２の連動部材２ｃの中央部を通る水平面に対して面対称に設けることができるので、リンク機構が簡単な構造となり組み付け作業が容易となる。
（２）４個の符号錠１Ａ〜１Ｄの可動端部全体の移動量を第３の連動部材２ｄを介して錠止め駒３に伝達することができる。従って、各連動部材と錠止め駒３との動作部分の精度が出し易くなる。
すなわち、前記錠止め駒３と、後記する開閉手段の横走り板４に設けられた止め金具４ａとが当接する度合いを、前記金庫扉に一直線上に設けた４個の符号錠１Ａ〜１Ｄの可動端部１Ａ１〜１Ｄ１の移動量に基づいて好適に調節することができる。
【００１５】
錠止め駒３は、図３（ａ）及び図３（ｂ）に示すように、後記する開閉手段の横走り板４の左端上部に設けられる止め金具４ａと当接する係合部を有している。
また、錠止め駒３は、前記金庫扉の裏側で横走り板４の左端上部に設けられた止め金具４ａと当接したり、離れたりすることができるように同じ位置で回動可能に金庫扉の裏側に固定されている。
また、錠止め駒３は、施錠時は止め金具４ａと当接し、解錠時は止め金具４ａと離隔する。
【００１６】
開閉手段は、前記金庫扉の表側に設けられた開閉ハンドル５と、前記開閉ハンドル５と連動して前記金庫扉の裏側で扉の開放を阻止及び許容しうる位置に移動可能な走り板である横走り板４とから主要部が形成される。
開閉ハンドル５は、横走り板４が解錠位置にあるときに手で回転すると、金庫扉を外部から手で開扉できる取っ手である。
また、横走り板４は、金庫扉の裏側で施錠位置と解錠位置とを選択的に横方向に移動可能な板材である。横走り板４の左端上部には、錠止め駒３と当接する係合部を形成する止め金具４ａが設けられている。
【００１７】
このように構成される一実施形態の金庫扉の施錠機構の作用について図１及び図４を参照して説明する。尚、ここでは主として図４を参照しながら金庫扉を解錠するときの施錠機構の動作について説明する。
＜施錠されている４個の符号錠のうち１個が解錠状態に移行するときの動作＞
４個の符号錠のうちの１個の符号錠１Ａが解錠されると、第１の符号錠１Ａの可動端部１Ａ１は図上右方向へ所定距離、例えば２ｃｍ移動する（Ｉ→ＩＩ）。
それに伴ってＡ点とＢ点で連結されている第１の連動部材２ｂのＡ点右方向に移動する。このとき第１の連動部材２ｂのＢ点は移動していないため第１の連動部材２ｂの中央部に位置するＥ点は、右方向へ１ｃｍ移動し、Ｆ点は移動しないため、第２の連動部材２ｃの中心部であるＧ点は、０．５ｃｍ右へ移動する。
これにより第３の連動部材２ｄが０．５ｃｍ右方向へ移動し、第３の連動部材２ｄが連結されている錠止め駒３は１点で回動可能に固定されているため、反時計回りに少し回転する。また、これにより錠止め駒３が横走り板４の止め金具４ａに当接する部分が少し減る。
【００１８】
＜符号錠が１個解錠状態から２個解錠状態へ移行するときの動作＞
次に、第２の符号錠１Ｂを解錠すると、第２の符号錠１Ｂの可動端部１Ｂ１は、図上右方向へ２ｃｍ移動する（ＩＩ→ＩＩＩ）。
それに伴ってＡ点とＢ点で連結されている第１の連動部材２ｂのＢ点が右方向へ２ｃｍ移動する。このとき第１の連動部材２ｂのＡ点は、すでに２ｃｍ移動しているため、Ａ点とＢ点で連結されている第１の連動部材２ｂの中央部に位置するＥ点は右方向へさらに１ｃｍ移動する。
これによりＥ点は、最初の状態から右方向へ２ｃｍ移動したことになる。Ｅ点とＦ点とで連結されている第２の連動部材２ｃのＥ点は右方向へさらに１ｃｍ移動し、Ｆ点は、移動していないため、中心点であるＧ点は、さらに０．５ｃｍ右方向へ移動する。これによりＧ点は最初の状態から右方向へ１ｃｍ移動したことになる。
よって第３の連動部材２ｄがさらに０．５ｃｍ右方向へ移動し、第３の連動部材２ｄで連結されている錠止め駒３が反時計回り方向にさらに回動する。これにより錠止め駒３が横走り板４の止め金具４ａに当接する部分がさらに少し減る。
【００１９】
＜符号錠が２個解錠状態から３個解錠状態へ移行するときの動作＞
次に、第３の符号錠１Ｃを解錠すると、第３の符号錠１Ｃの可動端部１Ｃ１は図上右方向へ２ｃｍ移動する（ＩＩＩ→ＩＶ）。
それに伴ってＣ点とＤ点で連結されている第１の連動部材２ａの中央部に位置するＦ点は右方向へ１ｃｍ移動する。Ｅ点とＦ点で連結されている第２の連動部材２ｃのＥ点は右方向へ２ｃｍ移動しているため、中心点であるＧ点はさらに０．５ｃｍ右へ移動する。これによりＧ点は、最初の状態から右方向へ１．５ｃｍ移動したことになる。
よって第３の連動部部材２ｃがさらに０．５ｃｍ右方向へ移動し、第３の連動部材２ｃで連結されている錠止め駒３が反時計回りにさらに少し回転する。これにより錠止め駒３は、横走り板４の止め金具４ａとの当接が外れ、横走り板４が施錠位置から解錠位置へ移動し左方向へ移動可能となり、開閉ハンドル５を回すことで金庫扉は開扉できる。
【００２０】
＜符号錠が３個解錠状態から４個解錠状態へ移行するときの動作＞
次に、さらに第４の符号錠１Ｄを解錠すると、第４の符号錠１Ｄの可動端部１Ｄ１は図上右方向へ２ｃｍ移動する（ＩＶ−Ｖ）。
それに伴ってＣ点とＤ点で連結されている第１の連動部材２ａのＤ点が右方向へ２ｃｍ移動する。このとき第１の連動部材２ａのＣ点はすでに２ｃｍ移動しているため、Ｃ点とＤ点とで連結されている第１の連動部材２ａの中央部に位置するＦ点は右方向へさらに１ｃｍ移動する。
これによりＦ点は最初の状態から右方向へ２ｃｍ移動したことになる。Ｅ点とＦ点で連結されている第２の連動部材２ｃのＦ点は右方向へさらに１ｃｍ移動し、Ｅ点はすでに右方向に２ｃｍ移動しているため、中心点であるＧ点はさらに０．５ｃｍ右方向へ移動する。
これによりＧ点は最初の状態から右方向に２ｃｍ移動したことになる。よって第３の連動部材２ｄがさらに０．５ｃｍ右方向へ移動し、第３の連動部材２ｄで連結されている錠止め駒３が反時計回りにさらに少し回転する。
これにより錠止め駒３と横走り板４の止め金具４ａとの間隔はさらに広がり横走り板４は充分左方向へ移動可能となり、金庫扉は開閉ハンドル５を回すことで確実に開扉できるようになる。
尚、金庫扉を解錠するのとは反対に、金庫扉を解錠状態から施錠状態に移行するときは、開扉した金庫扉を閉めた後、開閉ハンドル５を回して横走り板４を右方向に移動させ、それぞれの符号錠を施錠していくと、上記施錠状態から解錠状態への移行動作説明と逆の動作により錠止め駒３と横走り板４の止め金具４ａが当接し、金庫扉を施錠することができる。
【００２１】
このような構成と作用を有する本発明に係る金庫扉の施錠機構によれば、
（１）金庫扉に４個の符号錠１Ａ〜１Ｄを設け、３人が同時立会のもと３個の符号錠を解錠し、金庫扉を開扉する場合に、それらのうちの何れか３個の符号錠を解錠すれば金庫扉を開扉することができる。従って、金庫扉の施錠機構１を破壊することなく確実に開扉することができる。
（２）金庫扉を正面視した場合に、施錠時（解錠スタート時）における２枚の第１の連動部材２ａ，２ｂと第２の連動部材２ｃとを、第２の連動部材２ｃの中央部を通る水平面に対して面対称に設けることができるので、リンク機構が簡単な構造となり組み付け作業が容易となる。
（３）４個の符号錠１Ａ〜１Ｄの可動端部全体の移動量を第３の連動部材２ｄを介して錠止め駒３に伝達することができる。従って、各連動部材と錠止め駒３との動作部分の精度が出し易くなる。
【００２２】
尚、本発明は、上述した実施形態に限定されるものではなく、発明の技術的範囲を逸脱しない範囲で適宜変更して実施可能である。
例えば、符号錠を解錠する順番は、４個の符号錠のうちのどの符号錠から開始しても良い。
また、開閉手段は、横走り板を使用しないで、錠止め駒の回転と開閉ハンドルとを直接当接させて係合部を設けるようにしても良い。
【００２３】
【発明の効果】
前記した構成と作用を有する本発明によれば、以下の発明の効果を奏する。
１．請求項１に記載の発明によれば、４個の符号錠のうちのどの１個が故障しても、残り３個の符号を解錠したときに、移動量伝達機構を介して錠止め駒と走り板に設けられた止め金具とが当接しなくなるようにすることができるので、金庫扉の施錠機構を破壊することなく確実に開扉することができる。
２．請求項２に記載の発明によれば、
（１）金庫扉を正面視した場合に、施錠時（解錠スタート時）における２枚の第１の連動部材と第２の連動部材とを第２の連動部材の中央部を通る水平面に対して面対称に設けることができるので、リンク機構が簡単な構造となり組み付け作業が容易となる。
（２）４個の符号錠の可動端部全体の移動量を第３の連動部材を介して錠止め駒に伝達することができる。従って、各連動部材と錠止め駒との動作部分の精度が出し易くなる。
【図面の簡単な説明】
【図１】（ａ）本発明に係る金庫扉の施錠機構の左側面図である。
（ｂ）本発明に係る金庫扉の施錠機構の正面図である。
【図２】本発明に係る金庫扉の施錠機構の平面図である。
【図３】（ａ）錠止め駒と第１〜第３の連動部材と４個の符号錠の可動端部との位置関係を示す図である。
（ｂ）錠止め駒と、この錠止め駒に当接している止め金具との施錠時と解錠時の状態を説明するための図である。
【図４】本発明に係る一実施形態の金庫扉の施錠機構における移動量伝達機構の動作を説明するための図である。
【符号の説明】
１　　　　　　　　　　　　　　金庫扉の施錠機構
１Ａ〜１Ｄ　　　　　　　　　　　　　　符号錠
１Ａ１〜１Ｄ１　　　　　　　　　　　　可動端部
２　　　　　　　　　　　　　　移動量伝達機構
２ａ，２ｂ　　　　　　　　　　　　　　第１の連動部材
２ｃ　　　　　　　　　　　　　　第２の連動部材
２ｄ　　　　　　　　　　　　　　第３の連動部材
３　　　　　　　　　　　　　　錠止め駒
４　　　　　　　　　　　　　　横走り板（走り板）
４ａ　　　　　　　　　　　　　止め金具
５　　　　　　　　　　　　　　開閉ハンドル
【図１】
2004036184.tif 000003
【図２】
2004036184.tif 000004
【図３】
2004036184.tif 000005
【図４】
2004036184.tif 000006